Podtech/llm-jp-corpus-v4-ja_patent huggingface dataset:
(57)【要約】【課題】乳児又は、寝たきり患者等の紙おむつであり、排尿時の使用頻度と使用枚数を減少し、なおかつ装着を簡単に、又装着した時の、安定感を増し、尿もれを防止する紙おむつを提供する。【解決手段】おむつ本体（１）の下部両側に、帯体（５ａ）、（５ｂ）を設け、おむつ本体（１）の下部に腹覆い部（２）を形成し、帯体（５ａ）と（５ｂ）は装着時に、身体の腹部上で交叉するようにして腹覆い部（２）を上から覆い、その帯体（５ａ）、（５ｂ）、の各々の先端に粘着部（６ａ）を設けた紙おむつ。【選択図】  図１
2004230107.tif 000002
【特許請求の範囲】
【請求項１】
おむつ本体（１）の下部両側に、帯体（５ａ）、（５ｂ）を設け、おむつ本体（１）の下部に、腹覆い部（２）を形成し、帯体（５ａ）と（５ｂ）は装着時に、身体の腹部上で交叉するようにして腹覆い部（２）を上から覆い、その帯体（５ａ）、（５ｂ）の各々の先端に粘着部（６ａ）を設けた紙おむつ。
【発明の詳細な説明】
【０００１】
【発明の属する技術分野】
この発明は、乳児又は寝たきり患者等のおむつを着用する使用者が、排尿時のおむつの使用頻度と使用枚数を減らし、なおかつ、おむつの装着を簡単にし、尿もれを防止する紙おむつに関するものである。
【０００２】
【従来の欠点】
従来、紙おむつは、身体の下半身に装着し使用しているが、小便用、大便用兼用として使用されている。
【０００３】
【発明が解決しようとする課題】
これは、次のような欠点があった。
イ．夜間は紙おむつの交換回数が少ない為、尿の排出量が多いにもかかわらず、そのまま取換えずに装着している為に、尿がもれやすく、尿で腹部が冷えることがあった。
ロ．おむつ使用者が、ベッド上で姿勢を変えると、身体と紙おむつの間にすき間ができ、尿がもれやすかった。
ハ．このために、他の衣類、シーツ等にも尿が流れてしまった。
本発明は、以上の欠点を解決するためになされたものである。
尿の吸収力を増加させ、おむつ使用者と介護者双方が快適な生活を送ることの出来る紙おむつを提供するものである。
【０００４】
【課題を解決するための手段】
おむつ本体（１）の上部を尻覆い部（３）とし、下部を腹覆い部（２）とし腹覆い部（２）の表面両側に帯体（５ａ）、（５ｂ）を左右に一つづつ設け、帯体（５ａ）、（５ｂ）の先端に、粘着部（６ａ）を設け、おむつ本体（１）の上部に設けた尻覆い部（３）の表面にも粘着部（６ａ）を設ける。本発明は、以上の構成よりなる紙おむつである。
【０００５】
【発明の実施の形態】
以下、本発明の実施の形態を説明する。
イ．おむつ本体（１）の上部を、尻覆い部（３）とし、折り返し部（４）を境に、下部を腹覆い部（２）とする。
ロ．腹覆い部（２）の表面両側に、帯体（５ａ）、（５ｂ）を設け、各々、帯体（５ａ）、（５ｂ）は、腹覆い部（２）の表面上で、交叉して、反対方向へ伸延させる。
ハ．帯体（５ａ）、（５ｂ）の先端裏面に粘着部（６ａ）を設ける。
ニ．おむつ本体（１）の上部、尻覆い部（３）の表面に粘着部（６ａ）を設ける。
ホ．尻覆い部（３）と腹覆い部（２）からなる、おむつ本体（１）の裏面には、尿の吸収部（７）を設ける。
本発明は以上の構成によりなり立っている。
本発明を使用する時は、おむつ本体（１）を下半身の下に置き、股関節部を折り返し部（４）に接し、尻を尻覆い部（３）に腹部を腹覆い部（２）にかぶせ帯体（５ａ）、（５ｂ）を腹部上の腹覆い部（２）の上より交叉させ、粘着部（６ａ）、（６ｂ）、でおむつ本体（１）と、帯体（５ａ）、（５ｂ）を固定する。
【０００６】
【発明の効果】
紙おむつの尿の吸収面積が広く、尿もれを防止できる。又、帯体によって、紙おむつ全体を固定でき、帯体を設けることによって、腹覆い部、尻覆い部だけでなく、帯体によっても多くの尿が吸収でき、尿もれを防止しなおかつ、紙おむつの安定感も増す。皮膚のカブレも防止でき、脱落することもない。
【図面の簡単な説明】
【図１】本発明の斜視図
【図２】本発明の正面図
【図３】本発明の裏面図
【図４】本発明の使用状態を示す上面図
【符号の説明】
１    本体
２    腹覆い部
３    尻覆い部
４    折り返し部
５ａ  帯体５ｂ  帯体
６ａ  粘着部
６ｂ  粘着部
７    吸収部
８    身体
【図１】
2004230107.tif 000003
【図２】
2004230107.tif 000004
【図３】
2004230107.tif 000005
【図４】
2004230107.tif 000006
(57)【要約】【課題】盤の上に突起される押圧体が不備になっていても、小型圧体により、ギックリ腰状腰痛にせず、円滑な押圧を得る。さらに壁である類似の形状を払拭して除去をする。【解決手段】盤１に押圧体２を介して、盤３に凸状体４を設け、この凸状体４の下部５に筒状体６を嵌入して取り付け、この筒状体６の外周１４に補強体１５を取り付けるとともに、凸状体４の上部７に凹状体８をはめ込み取り付け、この凹状体８の上端に小型押圧体（９、１０、１１、１２）を取り付ける。【選択図】      なし【特許請求の範囲】
【請求項１】
盤（１）に盤の上に突起される押圧体（２）を介して、盤（３）を設け、前記盤（３）の上に突起される凸状体（４）を取り付け、前記凸状体（４）の下部（５）に筒状体（６）を嵌入して取り付け、前記凸状体（４）の上部（７）に凹状体（８）をはめ込み取り付け、前記凹状体（８）に小型押圧体（９、１０、１１、１２）を取り付けた指圧代行器のギックリ腰状腰痛防止装置。
【請求項２】
小型押圧体（９、１０、１１、１２）を凹状体（８）の上端の平坦面に取り付けた請求項１記載の指圧代行器のギックリ腰状腰痛防止装置。
【請求項３】
凸状体（４）の外周が略楕円形であり、凹状体（８）と筒状体（６）が同系である請求項１又は２記載の指圧代行器のギックリ腰状腰痛防止装置。
【請求項４】
凹状体（８）の上端が略楕円形の円周上であり、この円周上を分割し、十字状の両端に対抗する小型押圧体（９、１０、１１、１２）を取り付けた請求項３記載の指圧代行器のギックリ腰状腰痛防止装置。
【請求項５】
小型押圧体（９、１０、１１、１２）がある程度細幅状であり、かつ外方向に向かって傾斜することを特徴とする請求項１、２又は４記載の小型押圧体の製造方法。
【請求項６】
筒状体（６）の外周に、補強体取付部（１３）を備え、この補強体取付部（１３）に補強体（１４）を取り付けた請求項３記載の指圧代行器のギックリ腰状腰痛防止装置用補強体。
【発明の詳細な説明】
【０００１】
【発明の技術分野】
本発明は、盤の上に突起される凸状体に小型押圧体を備えた指圧代行器におけるギックリ腰状腰痛防止装置並びに該装置に用いる小型押圧体及びその製造方法に関する。
【０００２】
【従来の技術】
従来の指圧代行器においては、盤の上に突起される押圧体の直径をある程度大にし、先端を丸くすることにより、体重を支えても痛くないようにしている。
【０００３】
【発明が解決しようとする課題】
従来の指圧代行器にあっては、盤の上に突起される押圧体のまま押圧した場合は、たとえ押すことはできるものの押圧体に不備があるので、動く筋肉を捕えるように押すことができないばかりか、さらに皮肉の部分のみを押すこととなり、皮肉が痺れて伸びたりし、動く時の筋肉の膨張時の圧力が突入し、皮肉が押し出て膨れる痛さに動くこともできないという問題点があった。
【０００４】
本発明は、盤の上に突起される凸状体に小型押体などをある程度取り付けたまま押圧しても、ギックリ腰状の腰痛にならず、円滑な押圧をするための指圧代行器のギックリ腰状腰痛防止装置を得ることを目的としており、さらに壁である類似の形状を払拭し、除去する指圧代行器及びその方法を提供することを目的としている。
【０００５】
【課題を解決するための手段】
上記目的を達成するために、本発明の指圧代行記においては、盤に、盤の上に突起される押圧体を介して、盤を設け、該盤の上に突起される凸状体を取り付け、該凸状体の下部に筒状体を嵌入して取り付け、該凸状体の上部に凹状体をはめ込み取り付けるとともに該凹状体に小型押圧体を取り付けたものである。
【０００６】
上記小型押圧体を取り付ける位置は、凹状体に適当に取り付けることが可能であるが、後記する理由により、特に凹状体の上端の各部に取り付けることが効果的である。
【０００７】
そして、小型押圧体を凹庄体に取り付けるために、外周を略楕円形に形成し、略楕円形の円周上の平面部に小型押圧体を取り付けることが好ましい。
【０００８】
そして、凹状体の上端の略楕円形の円周上を分割し、十字状の両端に小型押圧体を取り付けるとよい。
【０００９】
また、小型押圧体が細幅状であり、かつ外方向にある程度傾斜することが好ましい。
【００１０】
また、筒状体の外周に、補強体を重ねるように取りつけて補強する製造方法がある。
さらに、筒状体の外周に補強体を取り付ける構成を採用することによって、要部の補強をすることができ、より重量を支えるように押圧できる。
【００１１】
【発明の効果】
本発明は、以上説明したように構成されているので、以下に説明されるような効果を奏する。
【００１２】
凸状体の上部に凹状体をはめ込み、この凹状体の上端に小型押圧体を取り付けることにより、押圧体などの不備による指圧代行器の押圧時のギックリ腰状腰痛を抑制でき、押圧を円滑にすることができる。
【００１３】
そして、外周を略楕円形にするとともに、凹状体の上端を略楕円形の円周上にする構成を採用することによって、この円周上を分割し、十字状の両端に小型押圧体を取り付けることができ、一方を捕えるように押し、他方を包囲するように押し、より簡単に筋肉のみを押圧できる。
【００１４】
また、凹状体の上端の平面部に、適度の高さの小型押圧体の複数を取り付ける構成を採用することによって、平面部が小型押圧体の端止めとなるので、深く押すことなどによる腰痛のおそれがないようにできる。
【００１５】
また、小型押圧体を細幅状にするとともに、外方向にある程度傾斜する構成を採用することによって、待つこともなく、直ぐ浸透し、皮肉が痺れず筋肉のみを押圧でき、結果も程度も感知して押圧できる。
【００１６】
さらに、筒状体の外周に補強体を取り付ける構成を採用することによって、要部の補強をすることができ、より重量を支えるように押圧できる。
(57)【要約】【課題】食卓などで調理用鍋の蓋を置くところに困らず、蓋の内側に付着したつゆで周りを汚すことを防ぐことのできる、鍋蓋支持具付き調理用片手鍋を提供する。【解決手段】柄４に設けたアーム状の鍋蓋の支持部５は、柄４より引き起こし、鍋蓋の支持部５の先端部８に鍋蓋のつまみ３を引っ掛けることで、鍋の蓋２を鍋本体１の縁７に立てた状態で保持することができることで、鍋の蓋を置くところに困らず、蓋の内側に付着したつゆも鍋の中に落とすことができ、周りを汚すことも防げる。【選択図】図１
2004230106.tif 000002
【特許請求の範囲】
【請求項１】
調理用片手鍋の柄の部分にアーム状の鍋蓋の支持部を設けたことを特徴とする鍋蓋支持具付き調理用片手鍋。
【請求項２】
前記アーム状の鍋蓋の支持部の大きさ、形状、取付け方法は特定せず、鍋蓋を鍋本体の縁に立てた状態で保持できることを特徴とする請求項１に記載の鍋蓋支持具付き調理用片手鍋。
【請求項３】
前記の鍋蓋の支持部は必要としないときは、柄の部分に収納され、柄と一体となる構造を有することを特徴とする請求項１、２に記載の鍋蓋支持具付き調理用片手鍋。
【請求項４】
前記の鍋蓋の支持部は柄の部分より引き起こし、立てた鍋蓋の支持部の先端部分に鍋蓋のつまみを引っ掛けて、鍋蓋を保持することを特徴とする請求項１、２、３、に記載の鍋蓋支持具付き調理用片手鍋。
【発明の詳細な説明】
【０００１】
【発明の属する技術分野】
本発明は調理用鍋の蓋を置くところに困らない鍋蓋支持具付き調理用片手鍋に関する。
【０００２】
【従来の技術】
食卓で鍋の蓋を置くところに困ることも多く、また、蓋の内側に付着したつゆで周りを汚す欠点もある、また、調理用鍋の鍋本体に鍋蓋の外周が係合する溝を設け、鍋蓋を立てられるようにした調理用鍋が出願されているが、煮炊きしているとき、鍋に設けた溝から煮立った汁が流れ出る欠点がある。
【０００３】
【特許文献１】
特開平１１−０００２５９号公報（第１図、第４図）
【０００４】
【発明が解決しようとする課題】
食卓で鍋の蓋を置くところに困ることだけではなく、蓋の内側に付着したつゆで周りを汚すこともあり、また、鍋本体に設けた溝から煮立った汁が流れ出ることもある。これらの欠点を解決するために鍋蓋支持具付き調理用片手鍋を提供することを目的としている。
【０００５】
【課題を解決するための手段】
上記の発明は本発明によれば、片手鍋の柄の部分にアーム状の鍋蓋の支持部を設けることで解決することができる。
【０００６】
また、上記の課題は本発明によれば、前項において、鍋蓋の支持部の大きさ、形状、取付け方法は特定せず、鍋蓋を鍋本体の縁に立てた状態で保持することができることで解決できる。
【０００７】
また、前項において鍋蓋の支持部は使用しないとき、柄の部分に納まり、柄と一体となる構造にすることで解決することができる。
【０００８】
そして、前項において鍋蓋の支持部は柄の部分より引き起こし、立てた鍋蓋の支持部で鍋蓋を保持することで解決できる。
【０００９】
【発明の実施の形態】
以下、本発明の実施の形態について説明する。
本発明は、一般に使用されている調理用片手鍋に設けられたアーム状の鍋蓋支持具で柄の部分に設けられている。
【００１０】
アーム状の支持部の大きさ、形状、取付け方法は鍋蓋を鍋本体の縁に立てた状態で保持できる状態で設けられている。
【００１１】
鍋蓋の支持部は使用しないとき、柄の部分に納まり、柄と一体の構造となるように設けられている。
【実施例】
図１は本発明の一実施例を説明する斜視図である。１は調理用片手鍋の本体で、２は鍋の蓋、３はつまみで４は柄、５はアーム状の支持部で、つまみ３を支持部の先端部８に掛け、蓋２を鍋本体１の縁７に立てた状態で保持することができる。
【００１２】
アーム状の支持部５の大きさ、形状、取付け方法は特定せず、支持部５は柄より引き起こすことができ、支持部５は柄４に対して立てた状態になる。
【００１３】
引き起こされて立てた状態の支持部５の先端部８に鍋蓋のつまみ３を引っ掛けることで、鍋の蓋２を鍋本体１の縁７に立てた状態で保持することができる。
【００１４】
支持部５は必要のないとき、支持部５を倒すと柄４と一体となる構造となっているため邪魔にならない。
【００１５】
また、前記した実施例において鍋蓋の支持部は必要に応じて、簡単に柄の部分より引き起こしたり、倒して柄の部分に納めたりができることから、取り扱いが楽である。
【発明の効果】
以上のように本発明によれば、食卓などで鍋の蓋を置くところに困らず、蓋の内側に付着したつゆで周りを汚すこともなくなる。
【００１６】
また、鍋蓋支持具を柄の部分より引き起こし、立てた鍋蓋支持具に鍋蓋のつまみを引っ掛けて置くことができるため、鍋蓋を置くところに困らない。
【００１７】
また、鍋蓋を鍋蓋支持具により鍋本体の縁に立てた状態で保持できることから蓋の内側に付着したつゆも鍋の中へ落とすことができるため、つゆで周りを汚さない。
【００１８】
また、鍋蓋支持具を必要としないときは、支持具を柄の部分に納めると、柄と一体となる構造になっていることで、鍋蓋支持具は邪魔にならない。
【００１９】
統括して、本発明の鍋蓋支持具付き調理用片手鍋は、鍋本体の縁に蓋を立てた状態で保持でき、蓋を置くところに困らず、蓋の内側に付着したつゆで周りを汚すことを防ぐ効果も得られる。
【図面の簡単な説明】
【図１】本発明の一実施例の斜視図である。
【図２】本発明の一実施例の斜視図である。
【図３】本発明の一実施例の斜視図である。
【図４】本発明の一実施例の支持部図である。
【図５】本発明の一実施例の支持部図である。
【符号の説明】
１．            鍋本体
２．            蓋
３．            つまみ
４．            柄
５．            支持部
６．            回転軸
７．            縁
８．            先端部
９．            回転軸用穴
【図１】
2004230106.tif 000003
【図２】
2004230106.tif 000004
【図３】
2004230106.tif 000005
【図４】
2004230106.tif 000006
【図５】
2004230106.tif 000007
(57)【要約】【課題】剃刀と鏡を一体化した鏡付剃刀を提供する。【解決手段】剃刀の柄（１）の片面に複数の溝（２）を設け、さらに枠（３）に取付けた鏡（４）の片面に複数の突起（５）を設け、そして溝（２）に突起（５）を差し込み剃刀と鏡（４）を一体化することを特徴とする。【選択図】    図１
2004230120.tif 000002
【特許請求の範囲】
【請求項１】
剃刃の柄（１）の片面に複数の溝（２）を設け、枠（３）に取付けた鏡（４）の片面に複数の突起（５）を設け、溝（２）に突起（５）を差し込み、剃刀と鏡（４）を一体化した鏡（４）付剃刀。
【発明の詳細な説明】
【０００１】
【発明の属する技術分野】
この発明は、剃刀の柄に鏡を取り付けた、鏡付剃刀に関するものである。
【０００２】
【従来の技術】
従来、髭及びむだ毛剃り（以下髭剃りと称す）を行なうときは、剃刀を洗面所・浴室等の鏡の前に持っていき剃るか、または手鏡を片手で持ち剃刀を顔等に当てて行なっていた。
【０００３】
【発明が解決しようとする課題】
これには次のような問題点があった。
（イ）  従来、髭剃りを行なうときは、洗面所・浴室等の鏡の前に行くため、髭剃りの環境が限られていた。
（ロ）  手鏡を片手で持ち髭剃りをするときは、両方の手を使用していた。
本発明は、これらの問題点を除くためになされたものである。
【０００４】
【課題を解決するための手段】
剃刀の柄（１）の片面に複数の溝（２）を設け、さらに枠（３）に取付けた鏡（４）の片面に複数の突起（５）を設け、そして溝（２）に突起（５）を差し込む。
本発明は、以上の構成からなる鏡（４）と剃刀を一体化し、さらに鏡（４）と剃刀を着脱自在とした鏡（４）付剃刀である。
【０００５】
【発明の実施の形態】
以下、本発明の実施の形態について説明する。
（イ）  剃刀の柄（１）の片面に複数の溝（２）を設ける。
（ロ）  枠（３）に取付けた鏡（４）の片面に複数の溝（２）の形状と同じ複数の突起（５）を設ける。
（ハ）  突起（５）は複数の溝（２）の大きさより少し大きめの弾性のあるものとし、複数の溝（２）と同数とする。
本発明は以上のような構造でこれを使用するよきは、剃刀の柄（１）の片面の複数の溝（２）に、枠（３）に取付けた鏡（４）の片面に設けた複数の突起（５）を差し込み、剃刀と鏡（４）が一体化した鏡（４）付剃刀を、顔等に当てて髭剃りをする。
【０００６】
【発明の効果】
このように、剃刀と鏡が一体化することにより、髭剃りの環境が限定されず、片方の手で髭剃りが出来るため便利になった。
【図面の簡単な説明】
【図１】本発明の斜視図
【図２】本発明の側面分解図
【符号の説明】
（１）  柄
（２）  溝
（３）  枠
（４）  鏡
（５）  突起
【図１】
2004230120.tif 000003
【図２】
2004230120.tif 000004
(57)【要約】【課題】電気掃除機吸引ホースの内壁が凹凸になっている為、ほこり、ゴミが附着や引っ掛かりがあり、スムーズにホース内を通らず掃除機本体に吸引されない。又、ダニや細菌がわいてしまい、子供がふざけて吸引ホースの吸引口に自分の口を付けている事があり不衛生である。それを防ぐような、掃除機吸引ホースを作るのが目的である。【解決手段】電気掃除機吸引ホースの内壁を、凹凸の無い様にする。【選択図】    図１
2004230116.tif 000002
【特許請求の範囲】
【請求項１】
電気掃除機の蛇腹形状吸引ホースの内壁を平たん状にした吸引ホース。
【発明の詳細な説明】
【０００１】
【発明の属する技術分野】
この発明は、電気掃除機の蛇腹形状吸引ホースの内壁をやわらかく曲りやすい製品で平たん化させた、電気掃除機吸引ホースに関するものである。
【０００２】
【従来の技術】
従来の、電気掃除機の吸引ホースは、内壁が凹凸になっている。
【０００３】
【発明が解決しようとする課題】
（イ）  大きな物や角が有る物を吸引した場合、ホースが折れ曲った部分で内壁の凹凸部分に引っ掛かり、スムーズに通らない。
（ロ）  吸引ホース内壁の凹凸部分にほこり、ゴミが附着し不衛生である。
【０００４】
【課題を解決するための手段】
蛇腹形状吸引ホースの内壁は、凹凸の無い状態にする。
【０００５】
【発明の実施の形態】
以下、本発明の実施の形態について説明する。
（イ）  電気掃除機吸引ホースの内径にピッタリするやわらかく曲りやすい製品のホースを挿入する。
（ロ）  当該ホースと挿入するホースは、全体的に接着してはならない。
本発明は以上のような構造である。
【０００６】
【発明の効果】
本発明は以上のような構造から成り立ち、電気掃除機吸引ホースの内壁が平たんになった為、ほこり、ゴミが附着や吸引ホースの曲り部分でも引っ掛からなくなり、スムーズに掃除機本体に吸い込まれるようになった。
又、ホース内部を水洗い出来、水がたまらない為衛生的である。
【図面の簡単な説明】
【図１】電気掃除機吸引ホース改良を示した平面図である。
【図２】電気掃除機吸引ホース改良を示した断面図である。
【符号の説明】
１  挿入したホース。
２  蛇腹形状吸引ホース。
３  蛇腹形状吸引ホースに組み込まれている電気配線。
【図１】
2004230116.tif 000003
【図２】
2004230116.tif 000004
(57)【要約】【課題】クリップ付きの衣料用ハンガーで、ズボンやスカートをクリップで吊り下げた場合、クリップの握力にも限界があり、ズボン、スカートの自重や振動や生地の性質により滑り落ちる難点があった。これらを解消するため、ズボン、スカートをしっかりハンガーに固定出来る衣料用ハンガーを提供する。【解決手段】衣料用ハンガー下部の横方向に設けられたバーに一対のスライド部を設け、このスライド部から下方に突出する支持部をそれぞれ設け、これら一対の支持部に横向きにクリップを取り付けた。これら一対の横向きクリップでハンガーのバーに折り返し掛けしたズボン、スカート等の両側を挟んで固定出来るようにした。【選択図】  図６
2004230121.tif 000002
【特許請求の範囲】
【請求項１】
ハンガー本体下部の横方向に設けられたバーに、スライド可能な一対のスライド部を設け、このスライド部から下方に突出する支持部をそれぞれ設け、これら一対の支持部に横向きにクリップを取り付ける。これら一対のクリップでハンガーのバーに折り返し掛けしたズボン、スカート等の両側を挟んで固定する横向きクリップ付き衣料用ハンガー。
【請求項２】
請求項１の横向きクリップ付き衣料用ハンガーにおいてクリップが支持部に対して回転自在または支持部がスライド部に対して回転自在である。
【発明の詳細な説明】
【０００１】
【発明の属する技術分野】
本発明は、衣料用ハンガーに掛けたズボン、スカート等が容易に滑り落ちない衣料用ハンガーに関する。
【０００２】
【従来の技術】
従来、ハンガー下部の横向きバーにクリップを下向きに取り付けて、ズボン、スカート等をクリップで挟み吊り下げる衣料用ハンガーがあった。
【０００３】
【発明が解決しようとする課題】
クリップでズボン、スカートを挟み吊り下げる手段は、クリップの握力に頼る為、ズボン、スカートの自重や振動や生地の性質により滑り落ちる難点があった。またクリップの握力にも限界があった。
【０００４】
【課題を解決するための手段】
本発明は、図１で示すようにハンガー本体２下部の横方向に設けられたバー３に一対のスライド部４を設け、このスライド部４から下方に突出する支持部５をそれぞれ設け、これら一対の支持部５に横向きにクリップ６を取り付けた。これら一対の横向きクリップ６でハンガーのバー３に折り返し掛けしたズボン、スカート等の両側を挟んで固定出来るようにした。
【０００５】
【発明の実施の形態】
ハンガー本体２下部の横方向に設けられたバー３は、合成樹脂または金属または木製で、断面形状は図２，図３の円形１３または図４、図５の長方形１４である。このバーに弾性の合成樹脂のスライド可能な一対のスライド部４を設ける。
【０００６】
このスライド部４をバーにとりつける構造は、バーの断面が円形１３の場合は円形の開口９を設ける。または円形開口の下部をフック状に開口８してとりつける。バーの断面が長方形１４の場合は長方形の開口１１を設ける、または長方形開口１１の下部をフック状に開口１０してとりつける。このスライド部４から下方に突出する支持部５を設ける。
【０００７】
これら一対の支持部５に横向きに金属と金属、または金属と合成樹脂、または合成樹脂と合成樹脂で構成されたクリップ６を取り付ける。また支持部５の下部にキャップ７を設ける。
【０００８】
横向きクリップ６は支持部５に対して回転自在または支持部５がスライド部４に対して回転自在である。
【０００９】
図６で示すように、これら一対の横向きクリップ６でハンガーのバー３に折り返し掛けしたズボン１２、スカートの両側を挟んで固定する。またスライド部４でクリップ６間の間隔を調整できるためズボン、スカートのサイズに合わせて固定出来る。
【０００１０】
【発明の効果】
横向きクリップ６でハンガーのバー３に折り返し掛けしたズボン１１、スカート等の両側を挟んで固定出来るようになった。ハンガーにズボンを掛けて、数日後にみると、大切なズボンが滑り落ちてシワが付いていたということが解消され、アイロンの二度掛けの必要も無くなり安心して収納出来るようになった。
【図面の簡単な説明】
【図１】横向きクリップ付き衣料用ハンガーの斜視図。
【図２】円形バー、フック状円形開口のスライド部、支持部、クリップ、キャップの構成図
【図３】円形バー、円形開口のスライド部、支持部、キャップの構成図
【図４】長方形バー、フック状長方形開口のスライド部、支持部、キャップの構成図
【図５】長方形バー、長方形開口のスライド部、支持部、キャップの構成図
【図６】横向きクリップ付き衣料用ハンガーに、ズボンを掛けてクリップで固定した使用時の斜視図。
【符号の説明】
１  フック
２  ハンガー本体
３  バー
４  スライド部
５  支持部
６  クリップ
７  キャップ
８  フック状円形開口
９  円形開口
１０  フック状長方形開口
１１  長方形開口
１２  ズボン
１３  バーの断面が円形
１４  バーの断面が長方形
【図１】
2004230121.tif 000003
【図２】
2004230121.tif 000004
【図３】
2004230121.tif 000005
【図４】
2004230121.tif 000006
【図５】
2004230121.tif 000007
【図６】
2004230121.tif 000008
(57)【要約】【課題】ハンガーのフック部に弾性体を成形し、弾性体の反発力により、風によるズレや落下を防止するハンガーを提供する。【解決手段】ハンガー１のフック部２に弾性体３を成形し、物干竿に押圧力を働かせる。【選択図】    図１
2004230124.tif 000002
【特許請求の範囲】
【請求項１】
ハンガー１のフック部２に弾性体３を形成することを特徴とする、落下防止用弾性体付きハンガー。
【請求項２】
弾性体３がハンガー１のフック部２に装着できることを特徴とする、落下防止用弾性体。
【発明の詳細な説明】
【０００１】
【発明の属する技術分野】
本発明は、落下防止用弾性体付きハンガー及び落下防止用弾性体に関する。
【０００２】
【従来の技術】
従来、落下防止ハンガーとしてフック部とレバー部に、スプリングコイルを介在させ、物干竿を狭むキャッチ式ハンガーがあった。又、物干竿にハンガーフック部を竿ピンチで狭着し、風によるズレや落下を防いでいた。
【０００３】
【発明が解決しようとする課題】
ところが、上記キャッチ式ハンガーは構造が複雑で生産コストが高く、又、径の細い物干竿では狭着力が弱く風によりズレたりしていた。又、竿ピンチでハンガーフック部を狭着する場合も手間がかかり、非常に面倒であった。
【０００４】
本発明は斯かる事情に鑑み、鋭意検討の結果、従来の前記問題を解決することが出来る、落下防止用弾性体付きハンガー及び落下防止用弾性体を提供することを目的とする。
【０００５】
【課題を解決する為の手段】
前記目的を達成する為、請求項１の発明は、ハンガーのフック部内側に弾性体を成形することを特徴とする。
【０００６】
この特徴によれば、ハンガーを物干竿に掛止する時、フック部の弾性体が物干竿の直径より小さい為、拡開されて掛止される。この為、物干竿には常に弾性体の反発力が働き、風によるズレや落下の防止となる。
【０００７】
また請求項２の発明は、反発力を成形した弾性体をハンガーのフック部に装着することを特徴とする。
【０００８】
この特徴によれば、反発力を成形した弾性体の一端又は両端をハンガーフック部に固着することにより、使用時、弾性体の反発力が物干竿に働き、風によるズレや落下を防ぐ。
【０００９】
尚、本発明に於いて「弾性体」とは、その全体が復元力のある材質又は処理したものであることは勿論のこと、一部であることも含まれる。又、材質は金属性、樹脂性などを問わない。
【００１０】
【発明の実施の形態】
本発明の実施の形態を、添付図面に例示した本発明の実施例に基づいて以下に具体的に説明する。
【００１１】
添付図面に於いて、図１は本発明の落下防止用弾性体付きハンガーの一例を示す正面図、図２はハンガーフック部に落下防止用弾性体を装着した状態を示す斜視図、図３は一例を示す弾性体の斜視図、図４〜図６は弾性体の他例を示す斜視図である。
【００１２】
先ず、図１に於いてハンガー１のフック部２の内側に弾性体３を成形したもので、弾性体３は物干竿の直径より内側に位置している為、物干竿に掛止すると、この弾性体３は拡開され物干竿に反発力が働く。
【００１３】
また、弾性体３の先端を更に屈曲することにより、洗濯ロープにも使用出来、同じ効果を得られる。
【００１４】
図２は、ハンガー１のフック部２に本発明の落下防止用弾性体３を固着した状態で、弾性体３の両端の固定位置や間隔よって物干竿に対して曲部の位置や反発力の調整が出来る。
【００１５】
図３、図４に於いて、図３は弾性体３の一例を示し、図４は図３の弾性体３を成形した一例である。
【００１６】
図５は、図３の弾性体３の両端に線条４を成形したもので、弾性体３をフック部２に固定する為の線条である。
【００１７】
図６は、金属性で線状の弾性体３で、屈曲部５のみを熱処理し、復元力可能にした弾性体である。この屈曲部５に弾性限界を越える力を加えることにより開度を変えることが出来、物干竿に対する反発力の調整が出来る。又、物干竿との接触部は、摩擦面を増やす自由な形状に成形出来る。樹脂性であれば加熱により、形状を成形出来る。
【００１８】
摩擦力を増大させる為、弾性体３に凹凸を施したり、段構成形しても良い。（図示せず）
【００１９】
又、弾性体３に、摩擦力の大きい素材を成形し、挿入、又は貼着することにより効果を上げられる。（図示せず）
【００２０】
【発明の効果】
以上のように請求項１によれば、ハンガーを物干竿に掛止すると、物干竿に弾性体の反発力が働き、風によるズレや落下を防ぐ。又、フック部の構造が簡単で一体成型出来る為、安価にて提供出来る。請求項２の発明は弾性体をハンガーフック部に固着するもので、使用時弾性体が物干竿に対して反発力が働き、風による落下やズレを防ぐ。尚、物干竿の径違いに対して反発力の調整が出来、又、竿ピンチなど不用とし手間が省ける。
【図面の簡単な説明】
【図１】本発明の一実施例に係るハンガーの正面図
【図２】ハンガーフック部に弾性体を装着した斜視図
【図３】弾性体の一例を示す斜視図
【図４】図３を成形した一例の斜視図
【図５】弾性体の他例を示す斜視図
【図６】弾性体の他例を示す斜視図
【符号の説明】
１．．．．．ハンガー
２．．．．．フック部
３．．．．．弾性体
４．．．．．線条
５．．．．．屈曲部
【図１】
2004230124.tif 000003
【図２】
2004230124.tif 000004
【図３】
2004230124.tif 000005
【図４】
2004230124.tif 000006
【図５】
2004230124.tif 000007
【図６】
2004230124.tif 000008
(57)【要約】【課題】肺炎を引き起こしひどい時は死に至らしめる事もある浴槽のレジオネラ菌の感染防止装置を提供する。【解決手段】循環式浴槽（１）内の循環水（１０）からフィルター部（７）で毛髪等のゴミや浮遊物を除去したあと、殺菌処理部（８）に設けた無光触媒酸化チタン化合物溶液（９）を等間隔で垂らし、さらに無光触媒酸化チタン化合物溶液（９）をコーティングしたブラシ状構造物（１２）を循環経路に設置したり、水面に浮かべさせる浴槽におけるレジオネラ菌の感染防止装置。【選択図】    図１
2004230129.tif 000002
【特許請求の範囲】
【請求項１】
循環式浴槽（１）内の循環水（１０）からフィルター部（７）で毛髪等のゴミや浮遊物を除去したあと、殺菌処理部（８）に設けた無光触媒酸化チタン化合物溶液（９）を等間隔で垂らし、さらに無光触媒酸化チタン化合物溶液（９）をコーティングしたブラシ状構造物（１２）を循環経路に設置したり、水面に浮かべさせる浴槽におけるレジオネラ菌の感染防止装置。
【発明の詳細な説明】
【０００１】
【発明の属する技術分野】
本発明は浴槽におけるレジオネラ菌の感染防止装置に関するものである。
【０００２】
【従来の技術】
肺炎を引き起こす原因の一つとされているレジオネラには多数の種類があり、これらを総称したレジオネラ属菌のなかには、人体に入るとレジオネラ症を引き起こし死亡にいたる事もある。
【０００３】
水を循環利用していてレジオネラ属菌の発育可能温度とされる摂氏２５度〜４３度の比較的水温が高くアメーバ類などが生育しやすい循環式浴槽や空調設備の冷却塔などは、レジオネラ属菌の繁殖に最適な場所となりレジオネラ症の感染源となる。
【０００４】
近時多発している銭湯や循環式風呂におけるレジオネラ菌による肺炎での死亡事故に対して、従来より塩素や紫外線による殺菌消毒や摂氏６５度以上の加熱殺菌などの方法や活性炭等へ吸着させる方法がとられていた。また各種の殺菌装置（特許文献１参照）の技術が知られている。
【０００５】
【特許文献１】
公開番号：特許公開平１１−２８４５７、公開日：平成１１年２月２日、
出願人：東陶機器株式会社、発明者：寺岡  高生、金丸  宏
発明の名称：浴湯循環装置の殺菌能力調整方法および浴湯殺菌装置
【０００６】
【発明が解決しようとする課題】
従来の塩素による殺菌では通常の塩素消毒ではレジオネラ属菌は死滅せず、高濃度にする必要があり、浴槽では使用出来なかった。また紫外線による殺菌もほとんど効果がなく、超音波を使用した方法は設備に多大な費用を要しとても経済的とは言えなかった。
【０００７】
【課題を解決するための手段】
上記課題を解決するためになされた本発明は、循環式浴槽（１）内の循環水（１０）からフィルター部（７）で毛髪等のゴミや浮遊物を除去したあと、殺菌処理部（８）に設けた無光触媒酸化チタン化合物溶液（９）を等間隔で垂らし、さらに無光触媒酸化チタン化合物溶液（９）をコーティングしたブラシ状構造物（１２）を循環経路に設置したり、水面に浮かべる。以上の事によって、上記従来手段による問題点を解消することが出来るようにしたレジオネラ菌の感染防止方法を提供するものである。
【０００８】
【発明の実施の形態】
以下本発明の実施例について図面を参照しつつ説明する。
循環式浴槽（１）の最底部に設けた吸水口（３）から入った循環水（１０）は、循環ポンプ（６）により吸水管（２）を通ってフィルター部（７）へ行き毛髪やその他のゴミや微細な浮遊物を除去したあと殺菌処理部（８）に設けた無光触媒酸チタン化合物溶液（９）を等間隔で垂らす。無光触媒酸化チタン化合物溶液（９）は循環水の流れの働きによって活性化された強力な酸化力によって、水中の有機物を分解しレジオネラ属菌をはじめとする雑菌を不活性化し水を浄化させる。その後循環水（１０）はヒーター部（１１）で温められ吐出管（４）を経て吐出口（５）から再び循環式浴槽（１）に戻る。また銭湯や多数の人が利用する大型浴場では無光触媒酸化チタン化合物溶液（９）をコーティングしたブラシ状構造物（１２）を循環経路に設置したり、水面に浮かべる。ブラシ状にしたことで表面積が膨大になり、無光触媒酸化チタン化合物溶液（９）の同様の働きによって水や空気の浄化をする。なおこのブラシ状構造物（１２）は定期的に取り替えることにより確実に殺菌効果が出る。以上のことにより従来の方法では解決出来なかった廉価で確実にレジオネラ属菌や大腸菌などの細菌類を死滅させる。
ブラシ状構造物（１２）には必要によって造花（１３）等を組み合わせ浴槽内に浮かべて見た目にも楽しませることも可能である。
【０００９】
【発明の効果】
本発明を使用することにより、比較的安価でしかも確実に浴槽の浄化を達成することが出来る。しかもメンテナンスとしてはフィルターの掃除と無光触媒酸化チタン化合物溶液（９）とブラシ状構造物（１２）を定期的に補充・交換するだけで大変簡単に出来る。これによりレジオネラ属菌の繁殖を防ぎ浴槽水への混入も無く、その他のゴミや有機物・浮遊物の除去も完全に出来ることになり、快適な入浴を楽しむことが出来るようになる。
【図面の簡単な説明】
【図１】本発明の実施の形態を示す循環式浴槽の構成図。
【図２】本発明のブラシ状構造物に造花をあしらった構成図。
【符号の説明】
（１）        循環式浴槽
（２）        吸水管
（３）        吸水口
（４）        吐出管
（５）        吐出口
（６）        循環ポンプ
（７）        フィルター部
（８）        殺菌処理部
（９）        無光触媒酸化チタン化合物溶液
（１０）      循環水
（１１）      ヒーター部
（１２）      ブラシ状構造物
（１３）      造花
【図１】
2004230129.tif 000003
【図２】
2004230129.tif 000004
(57)【要約】【課題】浴槽の湯面に浮いた浮遊物や浴槽の水中を回遊している回遊物を掬い取り捕集し、入り込んだ水は濾過して浴槽に戻されるとともに、手桶を水中に入れても捕集物が散乱しない風呂用手桶を提供する。【解決手段】手桶１の底面２に穿設した流出口５に、バネ４に係止した止水栓３を密嵌し、止水栓３の下方にフィルター１０を取付けたものである。【選択図】    図１
2004230125.tif 000002
【特許請求の範囲】
【請求項１】
手桶１の底面２に穿設した流出口５に、バネ４に係止した止水栓３を密嵌し、止水栓３の下方にフィルター１０を取りつけたことを特徴とする風呂用手桶。
【発明の詳細な説明】
【０００１】
【発明の属する技術分野】
本発明は、風呂用手桶に関する。
【０００２】
【従来の技術】
従来、浴槽の湯面に浮いている浮遊物を掬い取るのに、手桶や湯桶、又は洗面器、袋状の掬い取り具などを使用して掬い取っていた。
【０００３】
【発明が解決しようとする課題】
ところが、上記の手桶や湯桶、又は洗面器などで浴槽の水面に浮いている浮遊物を掬い取る時、浮遊物と共に周囲の水も入り込み、その入り込んだ水をそのまま無駄に捨てていた。周囲の水の入り込みを少なくする為には、慎重に浮遊物のみを掬い取ろうとする為、非常に時間がかかっていた。又、袋状の掬い取り具で水中の回遊物を掬い取る時、その掬い取り具を水中に入れる為、毎回ごとに洗浄した状態で使用しないと、付着、或いは捕集した回遊物を散乱することになり、非常に面倒であった。
【０００４】
本発明は斯かる事情に鑑み、鋭意検討の結果、従来の前記問題を解決することが出来る、風呂用手桶を提供することを目的とする。
【０００５】
【課題を解決する為の手段】
前記目的を達成する為、本発明は手桶の底面に穿設した流出口に、バネに係止した止水栓を密嵌し、その止水栓の下方にフィルターを着脱可能に密着したことを特徴とする。
【０００６】
この特徴によれば、手桶の底面に穿設した流出口に、止水栓をバネに係止し、常に押圧した状態で密嵌している。このバネは、充分な押圧力をもっている為、水中に入れても逆流せず、手桶の水は満水時でも一切漏れない。この止水栓を押し下げることにより水が流れ出、この止水栓の下方にはフィルターを密着している為、流れ出た水を濾過し、浮遊物も回遊物も除去され、濾過水は浴槽に戻される。よって無駄な水を捨てることもなく、この手桶を水中に入れてもフィルターに付着、或いは捕集した浮遊物や回遊物を散乱させることがない。
【０００７】
フィルターは、開放状態で円錐状又は円錐台状の嚢袋にすることにより、濾過面積を増大させることが出来、また、取付時は略円盤状になる。
【０００８】
又、上記フィルターは開放時の形状で、単独に浴槽の湯面に浮いた浮遊物を掬い取る器としても使用出来る。
【０００９】
尚、文面の語句で「湯面」と「水面」とは同意である。
【００１０】
【発明の実施の形態】
本発明の実施の形態を、添付図面に例示して具体的に説明する。
【００１１】
添付図面に於いて、図１は本発明の一例を示す断面図、図２はフィルター螺入時の正面図、図３はフィルター開放時の嚢袋正面図である。
【００１２】
先ず、図１は手桶１の底面２に開口部を設け流出口５とし、その流出口５には止水栓３を密嵌し、止水栓３はバネ４に係止され常に上方に押圧されている。バネ４の先端部は、把手６に内設されているスライド軸７の下端に位置し、スライド軸７の下部と把手６の下部周囲にはパッキン１１が挿入されている。止水栓３の下方にはフィルター１０を螺着し周囲と密着している。
【００１３】
上記構造によれば、スライド軸７の摘み部８を下方にスライドさせると、スライド軸７の下端がバネ４の先端を押し下げ、バネ４に係止している止水栓３が連動し、止水栓３と底面２の周囲に隙間が出来、水が流れ出る。流れ出た水はフィルター１０により濾過され、浴槽に戻される。
【００１４】
スライド軸７はバネ４により常に上方に押し上げられていると共に、止水栓３も常に流出口５と密嵌している為、手桶１を浴槽の湯の中に入れてもフィルター１０に濾過された浮遊物や回遊物は逆流することはない。
【００１５】
図２はフィルター１０で畳まれた状態でフィルター押え枠１２に載置されている。このフィルター押え枠１２は螺刻され手桶１に螺入される。
【００１６】
図３はフィルター１０の、開放時の嚢袋で、この状態でも浴槽湯面の浮遊物を掬い取る器として使用出来る。
【００１７】
上記より、取付時フィルター１０は略円盤状で、開放時は嚢袋となり、濾過面積が大きい。
【００１８】
【発明の効果】
以上のように請求項１の発明によれば、手桶の底面に穿設した流出口に密嵌している止水栓が、手桶の把手に突起している摘み部のスライド操作により開く事が出来、この時、水が流れ出、フィルターにより浮遊物が除去され、濾過された浴槽の湯が浴槽に戻される。スライド軸はバネに押し上げられ、摘み部は常に上方に位置している。尚、この手桶の使用回数を重ねることで、浴槽の湯の浄化にもなる。又、手桶とフィルターとを分離し、手桶に浴槽の湯を汲み、フィルターである嚢袋に爆布のごとく注ぎ込むなど、入浴時の子供との遊びともなり、更には浄化にもつながる。
【図面の簡単な説明】
【図１】本発明の一実施例に係る風呂用手桶の断面図
【図２】フィルター取付時の状態を示す正面図
【図３】フィルターの開放時の斜視図
【符号の説明】
１．．．．．手桶
２．．．．．底面
３．．．．．止水栓
４．．．．．バネ
５．．．．．流出口
６．．．．．把手
７．．．．．スライド軸
８．．．．．摘み部
９ａ．．．．．フィルター濾材
９ｂ．．．．．フィルター枠
１０．．．．．フィルター
１１．．．．．パッキン
１２．．．．．フィルター押え枠
【図１】
2004230125.tif 000003
【図２】
2004230125.tif 000004
【図３】
2004230125.tif 000005
(57)【要約】【課題】この発明は自分の席にいながら喫煙でき非喫煙者に迷惑のかからない分煙をすることを課題とした。喫煙しながらでもできる仕事もあり喫煙者の労働時間も有効活用できる。【解決手段】請求項１の発明で分煙装置の寸法を袖机と同じ寸法にすることで違和感無く仕事をしながら自分の席で喫煙でき非喫煙者に迷惑をかけない分煙ができるとともに請求項２の発明で、袖机として使用できる袖机型分煙装置吸引電動機型を使用することで高価な分煙装置を多数使用せず分煙可能とした。【特許請求の範囲】
【請求項１】
喫煙者が事務所内の机上で喫煙した煙を喫煙しない他人に迷惑をかけないために袖机型分煙装置を使って分煙するシステム。
【請求項２】
複数の喫煙者が発生させるタバコの煙を吸引電動機のみ備えた袖机型分煙装置吸引電動機型により吸引し排気ホースを連結して換気扇近傍又は分煙装置近傍まで導くための分煙システム。
【発明の詳細な説明】
【０００１】
【発明の属する技術分野】
この発明は、事務所内の自分の席で喫煙できることを目的とし、非喫煙者に迷惑をかけずに分煙することを目的としたシステムである。
【０００２】
【従来の技術】
従来の分煙装置は限られた喫煙エリアに設置され、仕事中に喫煙する場合、そのエリアまでいって喫煙しなければならなかった。その場合喫煙する者の仕事の効率が著しく低下する。タバコを吸うために限られた喫煙エリアまでの移動時間と喫煙時間をあわせると１本あたり約１０分としても相当の時間が喫煙のためだけに消費される。
【０００３】
【発明が解決しようとする課題】
しかしながら、この発明は自分の席にいながら喫煙でき非喫煙者に迷惑のかからない分煙をすることを課題とした。喫煙しながらでもできる仕事もあり喫煙者の労働時間を有効活用できる。
【０００４】
【課題を解決するための手段】
以上の課題を解決するために、請求項１の発明は、分煙装置の寸法を袖机と同じ寸法にすることで違和感無く仕事をしながら自分の席で喫煙でき非喫煙者に迷惑をかけない分煙ができる。さらに請求項２の発明で、一般的に使用されている袖机の天板奥は下の引き出しケーシングより約１００ミリメートル外に出ている。このスペースに煙吸気口と吸引電動機を設置することで袖机として使用できるとともに一般的に使用しない机背面天板下部に沿って排気ホースを布設し吸引したタバコの煙を排気ホースにより換気扇近傍またはフィルタ、脱臭装置などを備えた分煙装置近傍まで導くことで高価な分煙装置を多数使用せず分煙可能とした。
【０００５】
【発明実施の形態】
この発明の実施形態を図１に示す。
吸引されたタバコの煙は袖机型分煙装置に直接吸引され周囲の非喫煙者に迷惑がかからない。さらに図２の袖机型分煙装置（吸引電動機型）を使用することで図３と図４が可能となり複数の喫煙者がタバコを吸っても非喫煙者に迷惑がかからないように分煙できる。
【０００６】
【実施形態の効果】
一般的に複数の机のかたまりを島とよぶが喫煙者の多い職場にあっては喫煙者だけの島と非喫煙者をわけた島にすることで袖机型分煙装置の効果がより大きくなった。
【０００７】
【他の実施形態】
図１の実施形態では、煙吸気口をなくして天板吸い込み型でもよい。図２の実施形態では袖机にこだわらなくてもよい。
【０００８】
【発明の効果】
以上説明したように、この発明によって自分の席にいながら喫煙でき非喫煙者に迷惑のかからない分煙ができるとともに喫煙者の労働時間も有効活用される。
【図面の簡単な説明】
【図１】請求工１の発明の概略図である。
【図２】請求項２の発明の概略図である。
【符号の説明】
図面１
１  煙吸気フード
２  排気ホース連結ノズル
図面２
１  煙吸気フード
２  排気ホース連結ノズル
３  吸引電動機
図面３、図面４、
１  袖机型分煙装置
２  袖机型分煙装置吸引電動機型
３  煙吸気フード
４  排気ホース
【図１】
2004230131.tif 000002
【図２】
2004230131.tif 000003
【図３】
2004230131.tif 000004
【図４】
2004230131.tif 000005
【手続補正書】
【提出日】平成15年6月13日(2003.6.13)
【手続補正１】
【補正対象書類名】明細書
【補正対象項目名】図面の簡単な説明
【補正方法】変更
【補正の内容】
【図面の簡単な説明】
【図１】喫煙によって発生した煙は袖机天板奥の１煙吸気口より吸引され内蔵された分煙装置により処理される。袖机背面には２排気ホース連結ノズルを備え図面２で説明する袖机型分煙装置吸引電動機型と排気ホースで接続することができる。
【図２】喫煙によって発生した煙は袖机天板奥の１煙吸気口より吸引され袖机背面の２排気ホース連結ノズルにより図面１の袖机型分煙装置と排気ホースにより連結させることで袖机型分煙装置に導かれて処理される。
【図３】図面３は３人で使用する場合の図面１と図面２の組み合わせを示す。喫煙によって発生した煙は１袖机型分煙装置又２袖机型分煙装置吸引電動機型それぞれの袖机天板奥の３煙吸気口より吸引される。１袖机型分煙装置に吸引された煙は直接分煙装置で処理され袖机型分煙装置吸引電動機型に吸引された煙は袖机背面の２排気ホースにより袖机型分煙装置まで導かれ処理される。
【図４】図面４は３人で使用する場合であって図面１の分煙装置を使用しないで袖机型分煙装置吸引電動機型のみを使用して換気扇により煙を屋外に排気する場合の組み合わせを示す。２袖机型分煙装置吸引電動機型の天板奥の３煙吸気口より吸引された煙は袖机背面の４排気ホースにより換気扇まで導かれ屋外に排気される。